(57)【特許請求の範囲】
【請求項１】
冷却器を具備し、この冷却器により下向きに開口した複数の製氷室が冷却可能とされた製氷部と、この製氷部にて製氷された氷を貯氷する貯氷庫と、前記製氷部に対して開放及び閉塞可能に一側を軸支され、閉塞時に製氷用水を製氷部に供給する水皿とを備え、水皿開閉駆動機構にて水皿が製氷部を閉塞して製氷する製氷工程と、製氷後水皿が傾動して製氷部を開放し離氷させると共に、離氷後水皿が復動して製氷部を閉塞する離氷工程とを一製氷サイクルとして繰り返し製氷する逆セル型製氷機において、
前記水皿開閉機構に設けられた駆動装置と、この駆動装置の駆動により水皿と共に回動し、一部に水皿の先端方向への氷の落下を阻止しない切欠を形成し、他の部位に水皿先端とは逆方向に氷を導く櫛状の氷案内部を形成し、貯氷庫に溜められた氷を振り分ける振分装置と、この振分装置と前記駆動装置の間に設けられ、所定以上の負荷がかかると振分装置への駆動の伝達を遮断する伝達装置とを設けたことを特徴とする逆セル型製氷機。
【発明の詳細な説明】
【０００１】
【発明の属する技術分野】
本発明は、氷を生成する製氷部の下面を、傾復動可能な水皿にて閉塞する逆セル型製氷機に関する。
【０００２】
【従来の技術】
本発明に先行する従来技術として、特開平７−１６７５３９号公報（Ｆ２５Ｃ  １／０４）には、冷却器を具備し、この冷却器により下向きに開口した複数の製氷室が冷却可能とされた製氷部と、この製氷部に対して開放及び閉塞可能に一側を軸支され、閉塞時に製氷用水を製氷部に供給する水皿とを備え、水皿開閉駆動機構にて水皿が製氷部を閉塞して製氷する製氷工程と、製氷後水皿が傾動して製氷部を開放し離氷させると共に、離氷後水皿が復動して製氷部を閉塞する離氷工程とを一製氷サイクルとして繰り返し製氷する逆セル型製氷機が開示されている。
【０００３】
【発明が解決しようとする課題】
上述した様な従来技術において、離氷工程の際、水皿の傾動方向は一方向であるため、貯氷庫の片方に氷が積み上げられてしまい、この氷が積み上げられる側に貯氷センサが取り付けられていると、貯氷庫には十分に余裕があり、まだ氷を収納できるのにも関わらず、満氷を検知してしまう恐れがある。
【０００４】
また、氷が積み上げられる側の反対側に貯氷センサが取り付けられていると、貯氷センサが満氷を検知した時には、製氷部近傍まで氷が積み上げられ、製氷部から貯氷庫への通路が氷で詰まってしまう恐れがある。
【０００５】
本発明は、上述した様な問題点に鑑みてなされたもので、貯氷量を増加する事ができると共に、氷詰まりを防止する事を目的とした逆セル型製氷機を提供する。
【０００６】
【課題を解決するための手段】
上記目的を達成するための手段として、本発明の請求項１では、冷却器を具備し、この冷却器により下向きに開口した複数の製氷室が冷却可能とされた製氷部と、この製氷部にて製氷された氷を貯氷する貯氷庫と、前記製氷部に対して開放及び閉塞可能に一側を軸支され、閉塞時に製氷用水を製氷部に供給する水皿とを備え、水皿開閉駆動機構にて水皿が製氷部を閉塞して製氷する製氷工程と、製氷後水皿が傾動して製氷部を開放し離氷させると共に、離氷後水皿が復動して製氷部を閉塞する離氷工程とを一製氷サイクルとして繰り返し製氷する逆セル型製氷機において、前記水皿開閉機構に設けられた駆動装置と、この駆動装置の駆動により水皿と共に回動し、一部に水皿の先端方向への氷の落下を阻止しない切欠を形成し、他の部位に水皿先端とは逆方向に氷を導く櫛状の氷案内部を形成し、貯氷庫に溜められた氷を振り分ける振分装置と、この振分装置と前記駆動装置の間に設けられ、所定以上の負荷がかかると振分装置への駆動の伝達を遮断する伝達装置とを設けた逆セル型製氷機を提供する。
【０００７】
このため、振分装置にて貯氷庫の氷の頂部を崩して振り分け、貯氷を平均化する事ができると共に、満氷近くなり振り分けに所定以上の負荷がかかる場合、駆動装置から振分装置への駆動の伝達を遮断する。
【０００８】
そして、振分装置は、一部に水皿の先端方向への氷の落下を阻止しない切欠を形成し、他の部位に水皿先端とは逆方向に氷を導く櫛状の氷案内部を形成している。
【０００９】
このため、貯氷庫へ氷を導入する際に、水皿の先端方向、水皿先端とは逆方向の両方に氷を振り分ける事ができるとともに、櫛状の氷案内部は氷噛みなどで過大な力が加わった場合に撓むので、氷落下時や、山状の氷を平均化する時に、氷自体の破損を極力防止できると共に、振分装置自体が破損したり、モータが焼けてしまう事を防止する。
【００１０】
【発明の実施の形態】
以下、本発明の実施の形態を図面に基づいて説明する。
【００１１】
図１は本発明を具備する逆セル型製氷機の縦断面図、図２は振分装置の斜視図、図３は水皿復動時の製氷部の側面図、図４は水皿傾動時の製氷部の側面図、図５は他の実施形態を示す振分装置の斜視図である。
【００１２】
図１の１は逆セル型製氷機本体で、内外両箱２、３間に発泡断熱材４を発泡充填してなるものである。そして、この逆セル型製氷機１の前面には開口が形成されており、この開口は断熱扉５にて開閉自在に閉塞されている。また、この断熱扉５の外面上部には把手５Ａが取り付けられており、断熱扉５の内側には熱伝導性の低い部材で形成された内扉６が設けられている。これらの断熱扉５及び内扉６は下部を軸に前方に回動可能となっている。
【００１３】
そして、この逆セル型製氷機１の内側下部は、製氷された氷Ｉを貯留する貯氷庫７であり、内側上部には製氷装置８が設けられている。更に、前記貯氷庫７の背面上部には、氷Ｉが所定量溜まった事を検知する貯氷センサ９が設けられている。
【００１４】
尚、１０は溜まった氷から溶けだした水や製氷装置８にて製氷しきれなかった未氷結水を排水するための排水装置で、１１は逆セル型製氷機本体１下面の四隅に設けられ、高さ調整が可能な台脚である。
【００１５】
また、図３及び図４に示す如く、前記製氷装置８は、下向きに開口した複数の製氷室１２を有し、上面に蛇行する冷却管より構成される冷却器１３を具備する製氷部１４と、回動可能に一側を軸支され、製氷室１２を下方から閉塞する水皿１５と、この水皿１５に固定された水タンク１６と、水タンク１６内に給水された製氷用水を水皿表面に形成された噴水口から製氷室１２に噴水せしめる循環ポンプ１７と、そして回動可能に支持された水皿１５を傾動、復動せしめる正逆回転可能な駆動装置、即ち水皿開閉用モータ１８を含む水皿開閉駆動機構１９にて構成されている。２０は水皿１５が図４に示すように傾動した時、水タンク１６から排水される製氷用水の排水受皿である。
【００１６】
前記水皿開閉用モータ１８の回転軸にはアーム２１が固定され、アーム２１の一端側２１Ａに取り付けたコイル発条２２の他端を水皿１５の側部に連結している。尚、このアーム２１とコイル発条２２は水皿１５の左右に一対に装設されている。
【００１７】
ここで水皿開閉用モータ１８の正転で水皿１５は開き、逆転で閉じるものとする。そして、図３に示すように水皿１５が閉じ製氷工程を行い、製氷終了に基づきモータ１８が正転して水皿１５が開き切る時、反時計方向に回転するアーム２１の他端側２１Ｂで動作されてモータ１８への通電を停止し、次の復動を可能なようにモータ駆動回路を逆転状態に切換えるモータ停止用制御スイッチ（図示せず）が支持梁２３に設けられている。
【００１８】
従って、離氷工程に入りモータ１８が逆転して水皿１５を閉じる時、今度は時計方向にアーム２１が回動し、アーム２１の一端側２１Ａが図３のように上方に来て、モータ停止用制御スイッチを動作させ、モータ１８の停止及びモータ１８の正転方向を可能とするようにモータ駆動回路を切換形成する。
【００１９】
以上の如く、水皿開閉駆動機構１９にて水皿１５が製氷部１４を閉塞して製氷する製氷工程と、製氷後水皿１５が傾動して製氷部１４を開放し離氷させると共に、離氷後水皿１５が復動して製氷部１４を閉塞する離氷工程とを一製氷サイクルとして繰り返し製氷する。
【００２０】
尚、前記冷却器１３は図示しない圧縮機、凝縮器などと共に冷凍サイクルを構成するものである。
【００２１】
以上の構成にして以下に本発明の要旨を説明する。
【００２２】
前記水皿駆動機構１９には、図５に示す伝達装置２４が設けられており、この伝達装置２４は、内側に円状の空間が形成された平歯車２８と、この平歯車２８の内側空間に嵌合し、前記モータ１８の駆動軸２９の駆動を伝達する軸受３０と、この軸受３０の外周に形成されたスプリングケース３１と、このスプリングケース３１内に設けられたスプリング３２と、このスプリング３２にて外方に付勢され、先が円状、または球状の噛合部材３３とよりなるものである。
【００２３】
そして、この噛合部材３３は平歯車２８の内側に形成された窪部に嵌まり合うものであり、所定の負荷がかかった場合、平歯車２８が噛合部材３３を押し込め、平歯車２８と軸受３０の噛み合いが解除されるため、駆動の伝達が遮断されるものである。
【００２４】
尚、３４は駆動軸２９と軸受３０とを接続するキーである。
【００２５】
また、上述した様な伝達装置２４の平歯車２８により、上下方向に回動する振分装置２５が設けられており、この振分装置２５は前記水皿１５の傾復動に対応して回動するものである。
【００２６】
この振分装置２５はステンレスにて形成され、図２に示す如く、前記製氷部１４の横幅と略同じ幅のプレート状を成しており、中央より先は、手前側に氷案内部２６を形成し、奥側を氷通過用の切欠２７としている。更に、この氷案内部２６はその先端を水皿１５側の方向に折曲している。
【００２７】
また、前述した氷案内部２６及び切欠２７は、前記水皿１５が傾動した際に、氷Ｉが導かれる通路、即ち水皿１５上面の延長線上に形成されているため、奥側を落下する氷Ｉは、前記切欠２７を通過して水皿１５の先端方向に導かれ、手前側から落下する氷Ｉは、前記氷案内部２６に当たって水皿１５先端とは逆方向に導かれるものである。
【００２８】
更に、前記氷案内部２６は下方回動時、山状に積まれる氷Ｉの頂部を崩すため、貯氷庫７内の氷Ｉを均すことができ、より多く貯氷する事ができると共に、製氷装置８から貯氷庫７への通路が氷Ｉで詰まってしまう事を防止できる。
【００２９】
そして、貯氷庫７が満氷に近づき、水皿１５傾動時に共に下方回動する振分装置２５に所定以上の力が加わると、伝達装置２４の軸受３０に設けられた噛合部材３３が平歯車２８の窪部から外れて、噛合部材３３がスプリング３２を押し、駆動軸２９から平歯車２８への駆動の伝達が遮断される。
【００３０】
従って、振分装置２５には駆動がかからず、貯氷庫７に溜められている氷Ｉが破損してしまう事は無いと共に、振分装置２５自体が破損したり、モータ１８が焼けてしまう事を防止できる。
【００３１】
また、水皿１５が復動する際には、モータ１８が逆回転するため、駆動軸２９及び軸受３０も逆回転し、軸受３０の噛合部材３３が平歯車２８の窪部に嵌合する。
【００３２】
従って、水皿１５復動時には、前記振分装置２５も上方回動し、所定の位置に収納される。
【００３３】
尚、振分装置２５の氷案内部２６は、図２に限定される事無く、図６に示す如く櫛状に形成し、氷Ｉ噛みなどで過大な力が加わった場合に撓る様にしても良い。この場合、氷Ｉ落下時や、山状の氷Ｉを平均化する時に、氷Ｉ自体の破損を極力防止できると共に、振分装置２５自体が破損したり、モータ１８が焼けてしまう事を防止できる。
【００３４】
また、振分装置２５は、図７に示す如く、中央に切欠２７を形成し、奥側と手前側に氷案内部２６を設けても良い。
【００３５】
【発明の効果】
以上詳述した如く、本発明によると、振分装置にて貯氷庫の氷の頂部を崩して振り分け、貯氷を平均化する事ができるため、貯氷量の増加を図る事ができると共に、満氷近くなり振り分けに所定以上の負荷がかかる場合、駆動装置から振分装置への駆動の伝達を遮断し、貯氷された氷の破損を極力防止でき、更には振分装置自体が破損したり、駆動装置が損傷してしまう事を防止できる。
【００３６】
そして、貯氷庫へ氷を導入する際に、水皿の先端方向、水皿先端とは逆方向の両方に氷を振り分ける事ができ、貯氷を平均化する事ができるため、貯氷量の増加を図る事ができ、更に、櫛状の氷案内部は氷噛みなどで過大な力が加わった場合に撓むので、氷落下時や、山状の氷を平均化する時に、氷自体の破損を極力防止できると共に、振分装置自体が破損したり、モータが焼けてしまう事を防止できる。
【図面の簡単な説明】
【図１】  本発明を具備する逆セル型製氷機の縦断面図である。
【図２】  振分装置の斜視図である。
【図３】  水皿復動時の製氷部の側面図である。
【図４】  水皿傾動時の製氷部の側面図である。
【図５】  伝達装置の側面図である。
【図６】  他の実施形態を示す振分装置の斜視図である。
【図７】  他の実施形態を示す振分装置の斜視図である。
【符号の説明】
Ｉ  氷
１  逆セル型製氷機
１２  製氷室
１３  冷却器
１４  製氷部
１５  水皿
１８  駆動装置（水皿開閉用モータ）
１９  水皿開閉駆動機構
２４  伝達装置
２５  振分装置
２６  氷案内部
２７  切欠
【図１】
0004079538.tif 000002
【図２】
0004079538.tif 000003
【図３】
0004079538.tif 000004
【図４】
0004079538.tif 000005
【図５】
0004079538.tif 000006
【図６】
0004079538.tif 000007
【図７】
0004079538.tif 000008